(57)【要約】【課題】従来のインターネットオークションでは、古書等の値打ちのありそうな物件で、出品者が出品したいが正当な相場価格を知らないために出品をためらう例が多くあり、これらの物件の流通を妨げている、という課題があった。【解決手段】出品候補物件を登録する一般会員と、出品候補物件の正当な相場価格を評価する専門家会員とを有するインターネットオークションシステムで、当該出品候補物件に対する出品者の心情価格と当該出品候補物件に対する専門家会員の評価価格とに基づいてオークション価格を決定する方法によって、正当な相場価格を知らない一般会員も安心して出品できるオークションシステムを形成できる。【選択図】      図１
2004199396.tif 000002
【特許請求の範囲】
【請求項１】
出品候補物件を登録する一般会員と、出品候補物件の正当な相場価格を評価する専門家会員とを有するインターネットオークションシステムにおけるオークション価格決定方法であって、
当該出品候補物件に対する出品者の心情価格を登録する段階と、
当該出品候補物件に対する専門家会員の評価価格を登録する段階と、
前記心情価格および前記評価価格に基づいて、出品物件およびそのオークション価格を決定する段階と、
を有することを特徴とするオークション価格決定方法。
【請求項２】
さらに、前記評価価格に基づくオークション価格が決定された前記出品物件が当該オークション実行によって落札がなされなかった場合に、前記出品物件に係る前記評価価格を登録した当該専門家会員が当該出品物件を落札する価格である専門家会員落札価格を算出する段階、
を有することを特徴とする請求項１記載のオークション価格決定方法。
【請求項３】
出品候補物件を登録する一般会員と、出品候補物件の正当な相場価格を評価する専門家会員とを有するインターネットオークションシステムにおけるオークション価格決定の情報処理をコンピュータに実行させるオークション価格決定プログラムであって、
当該出品候補物件に対する出品者の心情価格を登録する段階と、
当該出品候補物件に対する専門家会員の評価価格を登録する段階と、
前記心情価格および前記評価価格に基づいて、出品物件およびそのオークション価格を決定する段階と、
をコンピュータに実行させることを特徴とするオークション価格決定プログラム。
【発明の詳細な説明】
【０００１】
【発明の属する技術分野】
本発明は、インターネットオークションの方法に関わり、特に、古書等の値打ちのありそうな物件で、出品者が出品したいが正当な相場価格を知らないために出品をためらい、これらの物件の流通を妨げている状況を解決する技術に関する。
【０００２】
【従来の技術】
従来のインターネットオークションは、オークションの場を提供するオークションサーバと、出品物件を登録する一般会員クライアントと、これら出品物件のオークションに参加して入札する一般会員または非会員クライアントが、インターネットによって接続されて成る。ここで、従来のオークション方法を図７によって説明する。
【０００３】
図７(a) に示すように、オークションには(a-1) の競り下げ式と(a-2) の競り上げ式とがある。そしてオークションでは各種価格が出品者や入札者によって設定される。競り下げ式の場合は、図７(a-1) に示すように、競り下げ時入札開始価格Ｓ１と競り下げ時最低価格Ｍとがオークションサーバによって提示され、オークションはこの競り下げ時入札開始価格Ｓ１から始まり、一定期間に入札者がなければ、オークションサーバは一定のモード（例えば２日毎に５００円ずつ下げるなど）で競り下げた新価格を提示し、当該価格での入札を募る。このような競り下げを繰り返し、最初に当該提示価格で入札があったときに落札が決定され終了となる（競り下げ時落札決定価格ｘ）。オークション期限到来時点、もしくは当該提示価格が所定の最低価格（競り下げ時最低価格Ｍ）に至っても入札がないときは未落札のまま終了となる。
【０００４】
一方、競り上げ式では、図７(a-2) に示すように、競り上げ時入札開始価格Ｓ２がオークションサーバによってクライアントに提示され、この競り上げ時入札開始価格Ｓ２から出発して、クライアントの競り上げ入札によってオークション期限到来時点の最高入札価格で落札が決定され終了する（競り上げ時落札決定価格ｙ）。オークション期限時点まで全く入札がなければ未落札のまま終了となる。
【０００５】
このように、オークションの実施に当たって、最初にオークションサーバから提示される価格、および競り下げ時最低価格のようにオークションを制御する価格を、本明細書ではオークション価格と呼ぶこととする。すなわち、オークション価格とは、競り下げ時入札開始価格Ｓ１、競り下げ時最低価格Ｍ、および競り上げ時入札開始価格Ｓ２の総称である。
【０００６】
また、オークション出品者は当該物件の出品に際して、この価格くらいの価値はあるだろう、あるいは、この価格以下では売りたくない、という心情を持っているのが通常である。本明細書では、このような出品者の心情に基づく価格を心情価格と呼ぶこととする。すなわち、図７(b) に示すように、心情価格とは、出品者が当該出品物件にこの価格くらいの価値はあるだろうと期待する価格（これを以後、妥当心情価格と呼ぶ）、および、当該出品物件はこの価格以下では売りたくないとする価格（これを以後、下限心情価格と呼ぶ）の総称である。
【０００７】
従来のインターネットオークションでは、乗車回数券や家具、電気製品等種々の物件が対象となっているが、多くは、出品する一般会員が自らの心情価格に基づいて上記オークション価格を指定して出品物件を登録する。例えば、図７(c) のように、競り下げ時入札開始価格Ｓ１は妥当心情価格Ｕないしそれを上回る価格とし、競り下げ時最低価格Ｍは下限心情価格Ｌを出品者が設定する。また、競り上げ時入札開始価格Ｓ２の場合は下限心情価格Ｌを出品者が指定する。
【０００８】
しかしながら、古書等の値打ちのありそうな物件で、出品者が出品したいが正当な相場価格を知らない、といった物件では、自らの心情価格はあるものの、それが相場価格と乖離しているかもしれないと思い、出品する一般会員が上記オークション価格を指定しづらいので出品をためらうケースが非常に多い。このため、これらの物件は相当数一般家庭に眠っている。これらは、例えば信頼できる古書店に持参して相談することも可能ではあるが、そのような古書店探しや移動や交渉の労力やわずらわしさのため、古書店への持参もはかばかしくない現状である。
【０００９】
このような、家庭に眠る物件の流通をＩＴ技術によって改善するために、正当な相場価格を専門家に評価してもらう仕組みをインターネットオークションに取り入れる試みが下記特許文献１に開示されている。
【００１０】
【特許文献１】
特開２００１−２２９３０４号公報
【００１１】
【発明が解決しようとする課題】
しかし、上記特許文献１におけるインターネットオークションでは、商品査定資格を認証する機構の設立など、大規模な組織創立が必要であり、当面の実現の見込みはない、と考えられる。また、出品決定後でなければ専門家の評価する評価価格が得られず、当該評価価格が心情価格およびオークション価格とどのように関係づけられるかが不明であり、依然として一般会員の出品意欲を鼓舞するものとはなっていない。
【００１２】
本発明は、このような状況に鑑みてなされたものであって、古書等の値打ちのありそうな物件で、出品したいが正当な相場価格を知らないために出品をためらう出品者の出品意欲を鼓舞し、これらの物件の流通を促進するインターネットオークションシステムの実現を目的とする。
【００１３】
【課題を解決するための手段】
従来、出品者が出品したいが正当な相場価格を知らないために出品をためらう、という上記課題は、図１〜図２に示す本発明のオークション価格決定方法によって解決される。
すなわち、本発明は図２に示すようなオークションサーバＡＳの動作例として図１にその動作フローを例示するように、出品候補物件を登録する一般会員クライアントＧＣと、出品候補物件の正当な相場価格を評価する専門家会員クライアントＰＣとがオークションサーバＡＳとインターネット接続されたインターネットオークションシステムにおけるオークション価格決定方法であって、当該出品候補物件に対する出品者の心情価格（物件情報ＢＩに含まれる）を登録する段階（図１のステップＳ１３）と、当該出品候補物件に対する専門家会員の評価価格（評価情報ＥＩに含まれる）を登録する段階（ステップＳ２４）と、前記心情価格および前記評価価格に基づいて、出品物件およびそのオークション価格を決定する段階（ステップＳ４１〜４２）と、を有するオークション価格決定方法によって解決する。
【００１４】
さらに、この評価価格に基づくオークション価格が決定された出品物件がオークション実行によって落札されなかった場合にこの出品物件に係る評価価格を登録した当該専門家会員が当該出品物件を落札する価格である専門家会員落札価格を決定する段階（ステップＳ４３）を併せ持つことにより、上記課題はより有効に解決される。
【００１５】
さらに、この評価価格に基づくオークション価格が決定された出品物件がオークション実行によって落札された場合にこの出品物件に係る評価価格を登録した当該専門家会員が受け取る手数料である評価手数料を算出する段階（ステップＳ５２）、を併せ持つことにより、上記課題はより有効に解決される。
以下に、図１〜２のような本オークション価格決定方法を導入したシステムを用いたオークションビジネスモデルにおける、上記課題解決手段の作用について説明する。
【００１６】
オークションサーバＡＳを開設する事業者は従来のように出品する一般会員を募る他に、当該物件分野の専門家である専門家会員を募る。出品候補物件をもつ一般会員はこれを心情価格とともにオークションサーバＡＳの出品候補物件データベースＣＤＢに登録して（ステップＳ１１〜１３）、専門家会員からの評価価格づけを待つ。オークションサーバＡＳではこの出品候補物件を心情価格を伏せて専門家会員に公開し、一定評価期限内で専門家会員クライアントＰＣからの評価価格登録を受け付ける（ステップＳ２１〜２４）。受け付けられた評価価格は出品候補物件データベースＣＤＢに格納される。
【００１７】
所定評価期限が到来すると、オークションサーバＡＳの出品物件決定手段３は出品候補物件データベースＣＤＢを探索し、これら出品候補物件の心情価格と評価価格とを勘案して出品すべき物件ｉを決定し（ステップＳ４１）、当該物件関連情報を出品物件データＳＤ(i) として取り出す。これら出品決定物件のオークション価格は、出品者の心情価格に沿った形で評価価格を勘案して決められ（ステップＳ４２）ているので、相場価格を知らず出品をためらう出品者の出品意欲を強く鼓舞することが出来る。
【００１８】
さらに、当該物件のオークション実行で落札されずに終了したとしても、当該オークション価格形成に与った評価価格の値によっては、この評価価格を提供した専門家会員がしかるべき専門家会員落札価格によってこれを引き取る、との約束があらかじめある場合には、高過ぎる評価価格による落札不成立を排除できるので、相場価格を知らず出品をためらう出品者の出品意欲をさらに強く鼓舞することが出来る。
【００１９】
さらに、当該物件がオークション実行によって落札された場合にこの出品物件に係る評価価格を登録した当該専門家会員に所定の評価手数料を支払う、との約束があらかじめある場合には、専門家会員がより適切な評価価格を与える動機付けとなる、と考えられるので、出品をためらう出品者の出品意欲をさらに強く鼓舞することが出来る。
【００２０】
【発明の実施の形態】
本発明のオークション価格決定方法の実施例を図１〜図７により説明する。なお、本発明におけるコンピュータ処理は、当該コンピュータの主記憶装置上に展開されたコンピュータプログラムにより実行されるが、このコンピュータプログラムの提供形態は、当該コンピュータに接続された補助記憶装置をはじめ、ＣＤ−ＲＯＭ等の可搬型記憶装置やネットワーク接続された他のコンピュータの主記憶装置及び補助記憶装置等の各記録媒体に格納されて提供されるもので、このコンピュータプログラムの実行に際しては、当該コンピュータの主記憶装置上にローディングされ実行されるものである。
【００２１】
図２は本発明のオークション価格決定方法を実現するオークションサーバＡＳの実施例である。オークションサーバＡＳは一般会員クライアントＧＣ、専門家会員クライアントＰＣ、および一般会員または非会員クライアントＯＣとインターネットを介して接続される。ここに一般会員クライアントＧＣは一般会員が出品候補物件を登録するためにオークションサーバＡＳにアクセスするものとする。これを図２ではアクセス１と記した。また専門家会員クライアントＰＣは専門家会員が出品候補物件に対して評価価格を登録するためにアクセスするものとする。これを図２ではアクセス２と記した。また一般会員または非会員クライアントＯＣはオークションサーバＡＳで出品された物件に入札するためにアクセスするものとする。これを図２ではアクセス３と記した。
【００２２】
オークションサーバＡＳはアクセス１に対応する物件情報ＢＩを出品候補物件データベースＣＤＢに登録する出品候補物件登録手段１、アクセス２に対応する評価情報ＥＩを出品候補物件データベースＣＤＢに登録する評価価格登録手段２、出品候補物件データベースＣＤＢから出品物件を決定し出品物件データＳＤ(i) としてバッファする出品物件決定手段３、アクセス３に対応して一般会員または非会員クライアントＯＣからの物件ｉへの入札情報ｎ(i) を受け入札履歴ｎｒ(i) を更新するとともに、出品物件データＳＤ(i) および入札履歴ｎｒ(i) をオークションデータＡＤ(i) として表示し、他の一般会員または非会員クライアントＯＣからの入札情報ｎ(i) を受けるオークション実行手段４、オークション環境を制御するオークション管理手段５、オークション落札者との金銭支払い等の支援をする落札後処理手段６、および、未落札のまま終了した物件と関係する出品者および評価専門家会員との間の取引を支援する未落札終了後処理手段７などから構成されている。
【００２３】
さらに出品物件決定手段３は、出品候補物件データベースＣＤＢの出品候補物件について、当該物件情報ＢＩと当該評価情報ＥＩとからオークション価格を決定するオークション価格決定手段31、および専門家会員落札価格を算出する専門家会員落札価格算出手段32とを含む。また、オークション実行手段４は出品物件データＳＤ(i) に対して、入札成功時に評価手数料を算出する評価手数料算出手段41を含む。
【００２４】
図１は上記オークションサーバＡＳの動作例を示す。オークション管理手段５はステップＳ０においてオークションの各段階を制御する。すなわち、オークション管理手段５は図示しないオークションホームページを表示し、一般会員クライアントＧＣ、専門家会員クライアントＰＣ、一般会員または非会員クライアントＯＣのアクセスを受け付ける。ここに、会員は事前に会員登録し、ｉｄ、パスワードをもって前記ホームページ上で認証段階を経てアクセス１〜３に至る。非会員の場合は入札参加のみ可能であり、入札時に新会員として登録する。
【００２５】
ステップＳ０でオークション管理手段５はアクセス１〜３を受け、それぞれのルーチンを起動する他、タイマ割込みによって所定の各定時に（例えば１分ごとに）出品候補物件の評価期限の到来、およびオークション実行物件の入札期限到来を監視して、それぞれのルーチンを起動する。
ステップＳ０においてアクセス１すなわち一般会員クライアントＧＣからの出品候補物件登録画面要求を受けた場合、オークション管理手段５はステップＳ１１に移行し、出品候補物件登録手段１を起動する。図４(a) には出品候補物件登録手段１がステップＳ１１で送出する出品候補物件登録画面の例を示す。一般会員クライアントＧＣはこの画面で出品候補物件の物件名称、先に説明した心情価格である、下限心情価格Ｌ、妥当心情価格Ｕを入力し、さらにリンクする詳細仕様入力画面（図示せず）で、当該物件の詳細仕様やディジカメによる外観、部分写真、コメントなどをフォームに従って入力し、送信ボタンクリックする。
【００２６】
ここで送られた情報を物件情報ＢＩと記すが、ステップＳ１２では出品候補物件登録手段１はこの物件情報ＢＩを取得して、ステップＳ１３において出品候補物件データベースＣＤＢに新たなレコードを生成して、この物件情報ＢＩを登録する。図３には出品候補物件データベースＣＤＢの１レコードのデータ構造例を示す。出品候補物件登録手段１はレコードキーとしてユニークな出品候補物件ｉｄを発行し、登録日時、登録者ｉｄとともに、この図中に物件情報ＢＩと記す部分のアイテムを記入する。そして出品・落札状況フラグＦを０とし、現在日時をフラグ更新日時アイテムに記入する。この出品・落札状況フラグＦは当該レコードのステータス情報で、例えば０：評価待ち、１：評価不成立不出品、２：出品中未落札、３：出品済未落札終了、４：出品済落札済と決められている。この段階では残余のアイテムは未記入となっている。
【００２７】
次に、ステップＳ０においてアクセス２すなわち専門家会員クライアントＰＣから出品候補物件に対する評価価格登録画面要求を受けた場合を説明する。オークション管理手段５はステップＳ２１に移行し、評価価格登録手段２を起動する。評価価格登録手段２は出品候補物件データベースＣＤＢを検索して、出品・落札状況フラグＦ＝０であるレコードを抽出し、これをもとに評価価格登録画面を評価対象情報ＨＴとして生成する。
【００２８】
図４(b) にはかくして生成された評価価格登録画面の例を示す。ここで、本実施例における評価価格について、図６(a) によって説明する。本実施例では評価価格を２種類に分け、『この価格で売るのが相場であろう、と評価する価格』である妥当評価価格ＰＳと、『この価格なら仕入れてよい、と評価する価格』である仕入評価価格ＰＢとで管理する。そして、先に説明した心情価格とこの評価価格とから、本実施例で実現するオークション価格決定アルゴリズムとして、図６(c) に示すものを採用する。すなわち、出品者は下限心情価格Ｌから妥当心情価格Ｕの幅をもって出品候補物件を把握している。これに対して、専門家会員の評価価格は仕入評価価格ＰＢから妥当評価価格ＰＳの幅をもつ。この両者の相互関係は、図６(c) に示す 6種類のケースをとり得る。本実施例のアルゴリズムでは、ケース１（妥当評価価格ＰＳ＜下限心情価格Ｌ）のとき評価不成立不出品とする。ケース２およびケース３（仕入評価価格ＰＢ＜下限心情価格Ｌ）のとき、競り下げ時入札開始価格Ｓ１＝妥当評価価格ＰＳ，競り下げ時最低価格Ｍ＝下限心情価格Ｌ，競り上げ時入札開始価格Ｓ２＝下限心情価格Ｌとして出品とする。ケース４およびケース５（下限心情価格Ｌ≦仕入評価価格ＰＢかつ妥当心情価格Ｕ≦妥当評価価格ＰＳ）のとき、競り下げ時入札開始価格Ｓ１＝妥当評価価格ＰＳ，競り下げ時最低価格Ｍ＝仕入評価価格ＰＢ，競り上げ時入札開始価格Ｓ２＝仕入評価価格ＰＢとして出品とする。かつ、無落札時は評価者が落札する義務を負うこととする。ケース６（下限心情価格Ｌ≦仕入評価価格ＰＢかつ妥当評価価格ＰＳ＜妥当心情価格Ｕ）のとき競り下げ時入札開始価格Ｓ１＝妥当心情価格Ｕ，競り下げ時最低価格Ｍ＝仕入評価価格ＰＢ，競り上げ時入札開始価格Ｓ２＝仕入評価価格ＰＢとして出品とする。かつ、無落札時は評価者が落札する義務を負うこととする。以上のアルゴリズムは専門家会員の入会登録時に専門家会員に対してあらかじめ周知し、了解を得て入会してもらうものとする。
【００２９】
さて、ステップＳ２１に戻り、以上の前提をおいて、図４(b) の画面が生成され、ステップＳ２２においてこれが送出されるので、専門家会員クライアントＰＣでは画面上の評価価格の意味を了解できる。ここに図の『評価期限：m 月d 日h 時( 期限まであとx 日y 時間です。) 』は評価価格登録手段２が所与の評価期間値のもとで当該物件のフラグ更新日時と現在日時とから算出して設定する。『現在最高評価額：妥当評価価格：PS(j)-k 円( 評価者：k さん) 、仕入評価価格：PB(j)-z円( 評価者：zさん) 』は評価価格登録手段２が当該物件レコードの評価情報ＥＩ部に蓄積する複数の評価情報ＥＩを比較して設定する。  なお、本実施例では、図で『あなたが評価される価格が上記の現在最高評価額を上回る場合のみ、その額を以下に入力して送信下さい。』と表示する如く、あとから評価登録する専門家会員クライアントＰＣは競り上げルールで妥当評価価格ＰＳや仕入評価価格ＰＢを記入するものとした。また、本実施例では少なくとも仕入評価価格ＰＢの入力は必要であるが、妥当評価価格ＰＳは記入任意としている。しかし、他の実施例ではこれらの制限を付さないことも可能である。
【００３０】
例えば、別の実施例では、一つの評価情報ＥＩ受信毎に心情価格との比較を行い、所定のアルゴリズムで当該物件の出品可否を判定し、出品可の場合は評価期限の到来を待たずに評価受付を終了してしまうことも可能である。
以上の説明のように、ステップＳ２２では評価対象情報ＨＴとして図３の物件データベースＣＤＢで二重丸を付したアイテムのみが送出され、心情価格については秘密を保っている。図４(b) の画面で※のクリックがなされると、すでに現在までに出品候補物件データベースＣＤＢに取り込まれている評価情報ＥＩ（図３の※アイテム）を示す画面に移行する。
【００３１】
図４(b) の画面で専門家会員クライアントＰＣから評価情報ＥＩとして妥当評価価格ＰＳ、仕入評価価格ＰＢを入力し、送信ボタンを押すと、評価価格登録手段２はステップＳ２３でこの評価情報ＥＩを受信し、ステップＳ２４でこれを出品候補物件データベースＣＤＢに登録する。すなわち、図３で既に複数個の評価情報ＥＩが蓄積されている場合、これに本評価情報ＥＩを追加する。
【００３２】
次に、ステップＳ０においてアクセス３すなわち一般会員または非会員クライアントＯＣから出品物件に対する入札実行要求を受けた場合を説明する。オークション管理手段５はステップＳ３１に移行し、オークション実行手段４を起動する。先に説明したように、出品候補物件データベースＣＤＢの各物件は登録から所定の時間経過中に評価価格を得て、評価情報ＥＩを蓄積する。そして、後に詳しく説明するように、評価期限が到来するとこれら出品候補物件は出品物件決定手段３によって吟味せられ、出品と決定された物件ｉはその情報を出品物件データＳＤ(i) としてバッファされている。出品物件データＳＤ(i) としては出品候補物件データベースＣＤＢの当該レコードから、図３☆印のアイテムが転記されたものである。但し、（☆）は当該オークション価格決定に関与した評価専門家のアイテムのみが転記される。
【００３３】
そこで、オークション実行手段４はステップＳ３１において、この出品物件データＳＤ(i) と入札実行の履歴である入札履歴ｎｒ(i) の情報からオークションデータＡＤ(i) を生成して、ステップＳ３２においてこれをアクセス元の一般会員または非会員クライアントＯＣに送出する。なお、当該物件に対する一般会員または非会員クライアントＯＣからの最初のアクセス３では、当然ながら入札履歴ｎｒ(i) は空である。
【００３４】
図５にはステップＳ３２で送出されるオークション実行画面の例を示した。図５(a) は競り下げ時、図５(b) は競り上げ時の画面例である。図５(a) の競り下げ時ではオークション実行手段４は当該物件の競り下げ時入札開始価格Ｓ１とフラグ更新日時（オークション開始日時）と現在日時と所定の競り下げモード条件（本実施例の場合、3 日毎に競り下げ幅1000円で競り下げる）から現在提示入札額ｔｔｔ円を算出し、また、入札期限：m 月d 日h 時( 期限まであとx 日y 時間) を算出して画面表示する。また、図５(b) の競り上げ時画面では、オークション実行手段４は、当該物件のフラグ更新日時（オークション開始日時）と現在日時と入札期間とから入札期限：m 月d 日h 時( 期限まであとx 日y 時間) を算出して画面表示する。また、入札履歴ｎｒ(i) から現在最高入札額：ｘ円（入札者：ｗさん）を取得して表示する。
【００３５】
一般会員または非会員クライアントＯＣは、図５の画面で入札を行うので、オークション実行手段４はステップＳ３３でその入札情報ｎ(i) を受信し、ステップＳ３４でこれを入札履歴ｎｒ(i) に追加する。入札情報ｎ(i) は入札額、入札者ｉｄ、入札日時からなる。
次に、ステップＳ０において、定時（例えば毎分毎）のタイマ割込みでの動作を説明する。オークション管理手段５は所定の評価期間値、入札期間値を初期設定値としてもっており、タイマ割込み毎に、これに照らして現在日時と出品候補物件データベースＣＤＢ各レコードの出品・落札状況フラグＦ、フラグ更新日時を検査する。
【００３６】
すなわち、オークション管理手段５は出品・落札状況フラグＦ＝０（評価待ち）であるレコードのフラグ更新日時と現在日時から評価期限到来物件を同定し、当該出品候補物件を指定して出品物件決定手段３にステップＳ４１〜４４を実行させる。また、オークション管理手段５は出品・落札状況フラグＦ＝２（出品中未落札）であるレコードのフラグ更新日時と現在日時から入札期限到来物件を同定し、当該出品候補物件を指定してオークション実行手段４にステップＳ５１〜５４を実行させる。その詳細について以下に、評価期限到来時と入札期限到来時とに分けて説明する。
【００３７】
まず、すべての評価期限到来物件に対し、出品物件決定手段３はステップＳ４１で、当該出品候補物件の下限心情価格ＬＢと仕入評価価格ＰＢから出品の可否を決定する。本実施例ではそのアルゴリズムは先に図６で説明したものが用いられている。すなわち、当該物件が図６でケース１（妥当評価価格ＰＳ＜下限心情価格Ｌ）となる場合は評価不成立であり不出品と決定される。よって、出品物件決定手段３は当該物件の出品・落札状況フラグＦを０から１に書き換え、フラグ更新日時を現在日時に書き換える。また、評価情報ＥＩが皆無等でケース１〜６判定ができない場合も評価不成立であり不出品と決定され、出品物件決定手段３は同様の処置を行う。
【００３８】
その他の場合は出品物件決定手段３はステップＳ４１において当該物件を出品可能と決定し、出品候補物件データベースＣＤＢの当該レコードの出品・落札状況フラグＦをＦ＝２（出品中未落札）に書き換え、フラグ更新日時を現在日時に書き換える。そして、出品物件決定手段３はステップＳ４２においてオークション価格決定手段31を起動する。
【００３９】
オークション価格決定手段31はこれら物件についてステップＳ４２において評価情報ＥＩからそのオークション価格を決定する。本実施例ではその決定アルゴリズムは、先に説明した図６によって行う。これによって、各物件の競り下げ時入札開始価格Ｓ１、競り上げ時入札開始価格Ｓ２、競り下げ時最低価格Ｍが決定される。
【００４０】
次いで、上記ステップＳ４２においてケース４〜６に分類された物件に対して、出品物件決定手段３は専門家会員落札価格算出手段32を起動して、ステップＳ４３において専門家会員落札価格を算出させる。この価格はオークション実行によって落札できなかった物件がケース４〜６の条件であった場合に、当該仕入評価価格ＰＢを提出した専門家会員に当該物件を引き取ってもらう価格である。その値は種々に設定可能であるが、本実施例では仕入評価価格ＰＢそのものを用いることとした。以上によって定まったオークション価格および専門家会員落札価格はステップＳ４４において出品物件決定手段３が出品候補物件データベースＣＤＢに書き込む。また、本ステップＳ４４においてオークション価格決定手段31はこれらの物件の出品候補物件データベースＣＤＢ中の必要アイテム（図３において☆印を付したアイテム）をバッファにコピーし、これを出品物件データＳＤ(i) として作成する。これが先にステップＳ３１で説明したように、オークション実行に用いられるものである。
【００４１】
最後に、ステップＳ０において入札期限到来が判定された物件の処理について説明する。なお、入札期限到来は競り下げ時と競り上げ時とでは少し異なった判定となる。すなわち、競り上げ時は所定入札期間の終了時が入札期限到来であるが、競り下げ時の場合は、競り下げモード内の最初の入札があった一期間の終了をもって入札期限到来と判定する。
【００４２】
先にステップＳ３１〜３４で説明したように、物件ｉの出品物件データＳＤ(i) と入札履歴ｎｒ(i) が蓄積された状況において、ステップＳ０でこれら物件の中で入札期限が到来した物件がオークション管理手段５によって指定され、ステップＳ５１に移行する。ステップＳ５１ではオークション実行手段４は当該物件の現時点での入札履歴ｎｒ(i) を探査し、落札判定を行う。そして落札があった場合はオークション実行手段４はステップＳ５２に移行し、その落札データ、すなわち落札実行価格と落札者ｉｄを出品候補物件データベースＣＤＢに記入する。また、出品候補物件データベースＣＤＢの当該出品・落札状況フラグＦを２から４に書き換え、評価手数料算出手段41を起動して落札決定額から評価手数料を算出する。
【００４３】
ここに評価手数料は、本実施例では、落札成功時に当該オークション価格に関与した仕入評価価格ＰＢを提出した専門家会員に支払われる報酬の額として事前に取り決められたものである。その値は例えば落札決定額の１０％というように会員登録時に決められている。評価手数料算出手段41はステップＳ４２でこの規定に従った算出を行い、ステップＳ５３においてその結果を出品候補物件データベースＣＤＢの該当アイテムに書き込むとともに、当該物件ｉの出品物件データＳＤ(i) をバッファから削除する。またステップＳ５３で落札後処理手段６を起動し、落札者の支払い等に関する支援を行うが、その詳細は本発明の範囲外であるので、ここでは省略する。
【００４４】
また、ステップＳ５１で落札なしと判定された場合は、オークション実行手段４はステップＳ５４に移行し、出品候補物件データベースＣＤＢの当該出品・落札状況フラグＦを２から３（出品済未落札終了）に書き換え、未落札終了後処理手段７を起動する。いずれの場合もフラグ更新日時を現在日時に書き換える。
本実施例では、先に説明したように、図６のケース４〜６に該当する物件が未落札でオークション終了した場合は、当該評価情報ＥＩを提供した専門家会員が代わって落札する義務をもつものとしている。そこでステップＳ５４で未落札終了後処理手段７は出品候補物件データベースＣＤＢから出品・落札状況フラグＦが３であって、かつ専門家会員落札価格アイテムが空でない物件を該当物件として抽出して当該専門家会員を同定し、落札手続等の支援をする。その詳細は本発明の範囲外であるので、ここでは省略する。
【００４５】
（付記１）      出品候補物件を登録する一般会員と、出品候補物件の正当な相場価格を評価する専門家会員とを有するインターネットオークションシステムにおけるオークション価格決定方法であって、
当該出品候補物件に対する出品者の心情価格を登録する段階と、
当該出品候補物件に対する専門家会員の評価価格を登録する段階と、
前記心情価格および前記評価価格に基づいて、出品物件およびそのオークション価格を決定する段階と、
を有することを特徴とするオークション価格決定方法。
【００４６】
（付記２）      さらに、前記評価価格に基づくオークション価格が決定された前記出品物件が当該オークション実行によって落札がなされなかった場合に、前記出品物件に係る前記評価価格を登録した当該専門家会員が当該出品物件を落札する価格である専門家会員落札価格を算出する段階、
を有することを特徴とする付記１記載のオークション価格決定方法。
【００４７】
（付記３）      さらに、前記評価価格に基づくオークション価格が決定された前記出品物件が当該オークション実行によって落札された場合に、前記出品物件に係る前記評価価格を登録した当該専門家会員が受け取る評価手数料を算出する段階、
を有することを特徴とする付記１または付記２記載のオークション価格決定方法。
【００４８】
（付記４）      前記評価価格は、当該専門家が相場売値とみなす妥当評価価格と当該専門家が妥当な仕入れ値段とみなす仕入評価価格とからなることを特徴とする付記１または付記２記載のオークション価格決定方法。
（付記５）      オークションサーバが提示する前記出品候補物件を最初に評価した第１の専門家が登録する第１の前記仕入評価価格に対し、以降に評価する第２の専門家は、前記第１の仕入評価価格以上の第２の仕入評価価格のみを登録できることを特徴とする付記４記載のオークション価格決定方法。
【００４９】
（付記６）      当該出品候補物件に対する当該心情価格は出品者が指定する下限心情価格を含み、当該出品候補物件に対する前記仕入評価価格が当該下限心情価格以上の場合のみ、当該出品候補物件をオークション物件として採用することを特徴とする付記４記載のオークション価格決定方法。
（付記７）      付記２記載のオークション価格決定方法であって、前記専門家会員落札価格は当該専門家の登録した前記仕入評価価格であることを特徴とする付記６記載のオークション価格決定方法。
【００５０】
（付記８）      オークション価格は競り下げ時最低価格を含み、前記専門家会員落札価格をもって前記競り下げ時最低価格とすることを特徴とする付記７記載のオークション価格決定方法。
（付記９）      出品候補物件を登録する一般会員と、出品候補物件の正当な相場価格を評価する専門家会員とを有するインターネットオークションシステムにおけるオークション価格決定の情報処理をコンピュータに実行させるオークション価格決定プログラムであって、
当該出品候補物件に対する出品者の心情価格を登録する段階と、
当該出品候補物件に対する専門家会員の評価価格を登録する段階と、
前記心情価格および前記評価価格に基づいて、出品物件およびそのオークション価格を決定する段階と、
をコンピュータに実行させることを特徴とするオークション価格決定プログラム。
【００５１】
【発明の効果】
以上の説明から明らかなように、本発明によれば、出品候補物件を登録する一般会員と、出品候補物件の正当な相場価格を評価する専門家会員とを有するインターネットオークションシステムで、当該出品候補物件に対する出品者の心情価格と当該出品候補物件に対する専門家会員の評価価格とに基づいてオークション価格を決定する方法によって、正当な相場価格を知らない一般会員も安心して出品できるオークションシステムを形成できる、という効果がある。
【図面の簡単な説明】
【図１】本発明のオークション価格決定方法を実現するオークションサーバの動作例
【図２】本発明のオークション価格決定方法を実現するオークションサーバの実施例
【図３】出品候補物件データベースＣＤＢのデータ構造例
【図４】本発明のオークション価格決定方法実施画面例
【図５】競り下げおよび競り上げオークションの実行画面例
【図６】本発明のオークション価格決定アルゴリズムの実施例
【図７】従来のオークション価格種類とその決定方法
【符号の説明】
ＡＳ    オークションサーバ
ＧＣ    一般会員クライアント
ＰＣ    専門家会員クライアント
ＯＣ    一般会員または非会員クライアント
ＣＤＢ  出品候補物件データベース
ＳＤ(i) 出品物件データ
ｎｒ(i) 入札履歴
ＢＩ    物件情報
ＥＩ    評価情報
ＨＴ    評価対象情報
ｎ(i)   入札情報
ＡＤ(i) オークションデータ
Ｓ１    競り下げ時入札開始価格
Ｓ２    競り上げ時入札開始価格
Ｍ      競り下げ時最低価格
Ｌ      下限心情価格
Ｕ      妥当心情価格
ＰＳ    妥当評価価格
ＰＢ    仕入評価価格
Ｆ      出品・落札状況フラグ
【図１】
2004199396.tif 000003
【図２】
2004199396.tif 000004
【図３】
2004199396.tif 000005
【図４】
2004199396.tif 000006
【図５】
2004199396.tif 000007
【図６】
2004199396.tif 000008
【図７】
2004199396.tif 000009